(57)【要約】      （修正有）【課題】複数のチャンネルのストリームをデコーディングしてＰＩＰやマルチ画面モードで同時に出力可能にする。【解決手段】記録媒体から読み出して再生される複数のチャンネルのストリームが、同一の放送チャンネルに属しているかそうでないかを確認して、同一放送チャンネルに属すれば、任意の１チャンネルストリーム以外のチャンネルストリームに含まれているプログラム仕様情報パケットは除去して、異なる放送チャンネルに属すれば各チャンネルストリームに含まれているプログラム仕様情報パケットの情報に基づいて新しいプログラム仕様情報パケットを構成して既存のプログラム仕様情報パケットを置き換えて、複数のチャンネルのストリームを多重化して出力する。【選択図】  図５
2007082232.tif 000002
【特許請求の範囲】
【請求項１】
記録媒体の中の少なくとも２つのビデオストリームを再生する方法において、
前記記録媒体から第１、第２ビデオストリーム及びビデオストリームの表示を管理するナビゲーション情報を読み取る段階を有し、前記ナビゲーション情報は、ＰＩＰ画面またはマルチ画面を表示するための前記第２ビデオストリームが存在しているか否かを示す情報を含み、
ＰＩＰ画面またはマルチ画面を表示するための前記ビデオストリームを同時に再生する段階
を含むことを特徴とするビデオストリームの再生方法。
【請求項２】
それぞれのビデオストリームは互いに分離されていることを特徴とする請求項１記載のビデオストリームの再生方法。
【請求項３】
それぞれのビデオストリームは多重化され、多重化された前記ビデオストリームはナビゲーション情報を有することを特徴とする請求項１記載のビデオストリームの再生方法。
【請求項４】
第２ビデオストリームは、前記ナビゲーション情報が第２ビデオストリームの存在を示している場合に読み出しされることを特徴とする請求項１記載のビデオストリームの再生方法。
【請求項５】
それぞれのビデオストリームは１つの記録集合体として記録されていることを特徴とする請求項１記載のビデオストリームの再生方法。
【請求項６】
それぞれのビデオストリームは別の記録集合体に区分して記録されていることを特徴とする請求項１記載のビデオストリームの再生方法。
【請求項７】
記録媒体に少なくとも２つのビデオストリームを記録する方法において、
前記記録媒体に対し第１、第２ビデオストリーム及びビデオストリームの表示を管理するナビゲーション情報を記録する段階を有し、前記ナビゲーション情報は、ＰＩＰ画面またはマルチ画面を表示するための前記第２ビデオストリームが存在しているか否かを示す情報を含むことを特徴とするビデオストリームの記録方法。
【請求項８】
それぞれのビデオストリームは互いに分離されていることを特徴とする請求項７記載のビデオストリームの記録方法。
【請求項９】
それぞれのビデオストリームは多重化され、多重化されたビデオストリームはナビゲーション情報を有することを特徴とする請求項７記載のビデオストリームの記録方法。
【請求項１０】
第２ビデオストリームは、前記ナビゲーション情報が第２ビデオストリームの存在を示している場合に読み出しされることを特徴とする請求項７記載のビデオストリームの記録方法。
【請求項１１】
それぞれのビデオストリームを１つの記録集合体として記録することを特徴とする請求項７記載のビデオストリームの記録方法。
【請求項１２】
それぞれのビデオストリームを別の記録集合体に区分して記録することを特徴とする請求項７記載のビデオストリームの記録方法。
【請求項１３】
少なくとも２つのビデオストリームが記録される記録媒体であって、
第１、第２ビデオストリーム及びビデオストリームの表示を管理するナビゲーション情報が記録され、前記ナビゲーション情報は、ＰＩＰ画面またはマルチ画面を表示するための前記第２ビデオストリームが存在しているか否かを示す情報を含むことを特徴とする記録媒体。
【請求項１４】
それぞれのビデオストリームは互いに分離されていることを特徴とする請求項１３記載の記録媒体。
【請求項１５】
それぞれのビデオストリームは多重化され、多重化されたビデオストリームはナビゲーション情報を有することを特徴とする請求項１３記載の記録媒体。
【請求項１６】
第２ビデオストリームは、前記ナビゲーション情報が第２ビデオストリームの存在を示している場合に読み出しされることを特徴とする請求項１３記載の記録媒体。
【請求項１７】
それぞれのビデオストリームは１つの記録集合体として記録されることを特徴とする請求項１３記載の記録媒体。
【請求項１８】
それぞれのビデオストリームは別の記録集合体に区分して記録されることを特徴とする請求項１３記載の記録媒体。
【請求項１９】
記録媒体の中の少なくとも２つのビデオストリームを再生する再生装置であって、
前記記録媒体から第１、第２ビデオストリーム及びビデオストリームの表示を管理するナビゲーション情報を読み取る読み取り手段を有し、前記ナビゲーション情報は、ＰＩＰ画面またはマルチ画面を表示するための前記第２ビデオストリームが存在しているか否かを示す情報を含み、
前記読み取り手段により読み取られた、前記ＰＩＰ画面またはマルチ画面を表示するための前記ビデオストリームを同時に再生する再生手段を有することを特徴とするビデオストリームの再生装置。
【請求項２０】
それぞれのビデオストリームは互いに分離されていることを特徴とする請求項１９記載のビデオストリームの再生装置。
【請求項２１】
それぞれのビデオストリームは多重化され、多重化されたビデオストリームはナビゲーション情報を有することを特徴とする請求項１９記載のビデオストリームの再生装置。
【請求項２２】
第２ビデオストリームは、前記ナビゲーション情報が第２ビデオストリームの存在を示している場合に読み出しされることを特徴とする請求項１９記載のビデオストリームの再生装置。
【請求項２３】
それぞれのビデオストリームは１つの記録集合体として記録されていることを特徴とする請求項１９記載のビデオストリームの再生装置。
【請求項２４】
それぞれのビデオストリームは別の記録集合体に区分して記録されていることを特徴とする請求項１９記載のビデオストリームの再生装置。
【請求項２５】
記録媒体に少なくとも２つのビデオストリームを記録する記録装置であって、
前記記録媒体に対し第１、第２ビデオストリーム及びビデオストリームの表示を管理するナビゲーション情報を記録する記録手段を有し、前記ナビゲーション情報は、ＰＩＰ画面またはマルチ画面を表示するための前記第２ビデオストリームが存在しているか否かを示す情報を含むことを特徴とするビデオストリームの記録装置。
【請求項２６】
それぞれのビデオストリームは互いに分離されていることを特徴とする請求項２５記載のビデオストリームの記録装置。
【請求項２７】
それぞれのビデオストリームは多重化され、多重化されたビデオストリームはナビゲーション情報を有することを特徴とする請求項２５記載のビデオストリームの記録装置。
【請求項２８】
第２ビデオストリームは、前記ナビゲーション情報が第２ビデオストリームの存在を示している場合に読み出しされることを特徴とする請求項２５記載のビデオストリームの記録装置。
【請求項２９】
それぞれのビデオストリームは１つの記録集合体として記録されていることを特徴とする請求項２５記載のビデオストリームの記録装置。
【請求項３０】
それぞれのビデオストリームは別の記録集合体に区分して記録されていることを特徴とする請求項２５記載のビデオストリームの記録装置。
【発明の詳細な説明】
【技術分野】
【０００１】
本発明は、再記録可能高密度ＤＶＤ（ＨＤ−ＤＶＤ：High-Density Digital Versatile Disc）のような記録媒体に、マルチチャンネルストリーム（Multi-channel Stream）を記録し、それを再生する方法及び装置に関する。
【背景技術】
【０００２】
デジタル画像圧縮及びデジタル変／復調等のようなデジタル技術の発展によって、映像をデジタルデータとして伝送するデジタルテレビ放送に関する標準化が速い速度で進展している。デジタルテレビ放送は放送する画像／音声（Ａ／Ｖ）信号をＭＰＥＧ−２で圧縮し、その圧縮した画像／音声データを１８８−バイトの伝送パケット（ＴＰ：Transport Packet）に構成した伝送ストリーム（ＴＳ：Transport Stream）の形態で放送される。
【０００３】
デジタル画像／音声圧縮技術及びデジタル伝送技術の発展によって商用化が可能になったデジタル放送はアナログ放送信号より高画質の映像を提供することができ、デジタル通信装置及びデジタル記憶装置などとの相互運用性を高めることができるという長所がある。
【０００４】
一方、デジタルテレビ放送によって送信される放送プログラムである伝送ストリームを受信して再記録可能高密度ＤＶＤ（writable HD-DVD）に記録するＤＶＤレコーダが開発されている。これはデジタルテレビ放送と一緒に広く商用化されることが予想される。
【０００５】
ところで、普通６ＭＨｚの周波数帯域を占める１つのデジタル放送チャンネル（ＲＦチャンネル）は１９．４Ｍｂｐｓの伝送レートを保障する。この伝送レートは１つのＨＤ−ＴＶ放送信号を伝送することができるが、ＨＤ−ＴＶ信号より画質が低いＳＤ−ＴＶ放送信号の場合には大体４つのプログラムを伝送することができる。このように１つのＲＦチャンネルでＳＤ−ＴＶ信号を伝送する論理又は仮想チャンネルを‘サブチャンネル’という。
【０００６】
前記のように１つのＲＦチャンネル内で複数の異なるサブチャンネルを受信することができるので、現在開発されているＤＶＤレコーダはユーザーの要請により２つ以上のサブチャンネルを同時に記録し、かつこれらを再生できなければならない。そして、異なるＲＦチャンネルから１つのサブチャンネルずつを選択して複数のチャンネルのストリームを記録して再生することもできる。
【０００７】
一方、デジタルテレビ放送を受信して表現する装置、例えば、デジタルＴＶは受信されるデジタルストリームに対するプログラム仕様情報（ＰＳＩ：Program Specific Information）を受信するまで、チャンネルを選択したり、受信ストリームを復号することができない。また所定時間間隔以内にプログラム基準時間情報（ＰＣＲ：Program Clock Reference）を受信しなければ、内部クロックをその時間に同期させて、データストリームを構成するパケットに適した時間間隔で表現（presentation）することができない。
【０００８】
一般には、デジタルレコーダは１つのチャンネルを記録し、それを後で再生する。デジタルレコーダが複数のチャンネルを記録することができる場合、多くのチャンネルの中から選んだ１つのチャンネルを再生するか、あるいは少なくとも２つのチャンネルを再生し、それらをデジタルＴＶのマルチ画面、すなわちＰＩＰ（Picture In Picture）に表示する。
【０００９】
このマルチチャンネル提供の場合、すべてのチャンネルが１つのＲＦチャンネルに属しているか否かによって、ＰＳＩを提供する方法を変えなければならず、各チャンネルストリームに挿入されたＰＣＲ値も補正しなければならない。
【発明の開示】
【発明が解決しようとする課題】
【００１０】
本発明は前記のような必要性によって創作されたものであり、マルチチャンネルストリーム中の個々のチャンネルストリームはもちろん複数チャンネルのストリームをデジタルＴＶのような表現装置で同時に表現できるように、複数チャンネルのストリームにプログラム仕様情報を記録する方法を提供することがその目的である。
【００１１】
本発明のさらに他の目的は、記録された複数チャンネルのストリームをデジタルＴＶのような表現装置で同時に表現できるように、複数チャンネルのストリームと一緒に記録されたプログラム仕様情報を伝送する方法を提供することである。
【００１２】
本発明のさらに他の目的は、記録された複数チャンネルのストリームをデジタルＴＶのような表現装置で同時表現できるように、複数チャンネルのストリームの時間情報を伝送する方法を提供することにある。
【課題を解決するための手段】
【００１３】
前記のような目的を達成する本発明によるマルチチャンネルストリーム記録方法は、同調された１つ以上の放送チャンネルのストリームから複数のサブチャンネルストリームを選択出力して、前記選択出力される複数のチャンネルのストリームが同一放送チャンネルに属する場合には、前記同調された放送チャンネルストリームに含まれているプログラム仕様情報パケットを複写して、前記選択出力される複数のサブチャンネルストリームのすべてに含める一方、異なる放送チャンネルに属する場合には受信されるプログラム仕様情報パケットをそのまま記録して、その記録された複数のチャンネルのストリームが同一の放送チャンネルに属しているか異なる放送チャンネルに属しているかの情報をさらに記録することが特徴である。
【００１４】
本発明によるマルチチャンネルストリーム再生方法は、記録媒体から読出して再生される複数のチャンネルのストリームが、同一の放送チャンネルに属しているかそうでないかを確認して、同一放送チャンネルに属していれば、任意の１チャンネルストリーム以外のチャンネルストリームに含まれているプログラム仕様情報パケットは除去して、異なる放送チャンネルに属していれば各チャンネルストリームに含まれているプログラム仕様情報パケットの情報に基づいて新しいプログラム仕様情報パケットを構成して既存のプログラム仕様情報パケットを置き換えるとともに、プログラム時間基準も適切に補正し、複数のチャンネルのストリームを多重化して出力することが特徴である。
【発明の効果】
【００１５】
前記のマルチチャンネルストリーム記録／再生方法及び装置は、同一ＲＦチャンネルまたは異なるＲＦチャンネルから選択されて記録された複数のサブストリームはそれに適したプログラム基準時間情報とプログラム仕様情報と一緒に提供するので、デジタルＴＶのようなディスプレー装置でチャンネル選択エラーや表現時間のエラーなしに複数のチャンネルのストリームをデコーディングしてＰＩＰやマルチ画面モードで同時に出力できるようにする。
【発明を実施するための最良の形態】
【００１６】
以下、本発明によるマルチチャンネルストリームを記録して再生する装置及び方法に対する望ましい実施形態に対して、添付された図面を参照しながら詳細に説明する。
【００１７】
図１は、本発明によるマルチチャンネルストリーム記録装置の構成を示したものである。本マルチチャンネルストリーム記録装置は高密度ＤＶＤレコーダ（ＨＤ−ＶＤＲ）でよい。図１の記録装置は、デジタル放送を同調受信して、所望するＲＦチャンネルを選択出力する第１チューナ１０と第２チューナ２０、第１チューナ１０及び第２チューナ２０により選択出力されるＲＦチャンネルのデジタル伝送ストリームに挿入されているＰＣＲを含むパケットとＰＳＩを含むパケットを抽出する第１ＰＣＲ／ＰＳＩデコーダ１１と第２ＰＣＲ／ＰＳＩデコーダ２１、第１ＰＣＲ／ＰＳＩデコーダ１１及び第２ＰＣＲ／ＰＳＩデコーダ２１を経て出力されるデジタル伝送ストリーム中所望するサブチャンネルストリームを選択出力する第１ストリームセレクタ１２と第２ストリームセレクタ２２、第１ＰＣＲ／ＰＳＩデコーダ１１及び第２ＰＣＲ／ＰＳＩデコーダ２１により抽出された各ＰＣＲを基準にして、内部クロックを同期させてこれをカウントする第１クロック発生部１４と第２クロック発生部２４、ストリームパケット到着時にクロック発生部１４のカウント値を各伝送パケットの到着時間（ＡＴＳ）情報として付加して一時的に記憶する第１バッファ１３と第２バッファ２３、第１バッファ１３及び第２バッファ２３に記憶されたストリームパケットを所定単位で交互に記録して、それに対応するナビゲーション情報を生成して記録するストリーム記録部１５、ストリーム記録部１５から出力される信号を高密度ＤＶＤ（ＨＤ−ＤＶＤ）１００のような記録媒体にマーク／スペース（Mark/Space）パターンまたはピット（Pit）の形状で記録する光ピックアップ１６、及びマルチチャンネルストリーム記録のために全ての要素を制御する制御部１７を含んでいる。
【００１８】
第１チューナ１０と第２チューナ２０は、デジタル放送信号から各々１つのＲＦチャンネルを選択して出力する。後段のＰＣＲ／ＰＳＩデコーダ１１、２１は受信したＲＦチャンネルのデジタル伝送ストリームに所定時間以内、例えば１００ｍｓ周期以内に挿入されているＰＣＲを含むパケットと、当該プログラムに対する仕様情報であるＰＳＩパケットを抽出して、抽出されたＰＣＲを含むパケットからＰＣＲ値をクロック発生部１４、２４に各々提供する。
【００１９】
ストリームセレクタ１２、２２は、入力されたＲＦチャンネルストリームの伝送パケットのパケット識別番号（ＰＩＤ：Packet ID）を検出し、確認して、制御部１７により選択された各サブチャンネルストリームを区別してこれらのみを選別的に出力する。
【００２０】
一方、第１クロック発生部１４と第２クロック発生部２４は、入力されるＰＣＲ値に自身のクロックを同期させて、その同期されたクロックを継続的にカウントしてそのカウント値を伝送パケットの到着時間情報（ＡＴＳ）としてバッファ１３、２３に提供する。
【００２１】
バッファ１３、２３は、伝送パケットの受信時ごとに該当クロック発生部１４または２４のカウント値を読んでこれを伝送パケットに付加して記憶する。このように記憶された伝送パケットは、後段のストリーム記録部１５により所定単位で交互に読まれて記録信号に変換されて光ピックアップ１６に送られ、高密度ＤＶＤ１００に記録される。また、ストリーム記録部１５はこのような記録中、または記録完了後に記録データのナビゲーション情報を生成して記録する。
【００２２】
前記のような過程により異なるＲＦチャンネルから各々選択された２つのチャンネルストリームが高密度ＤＶＤ１００に記録される。
【００２３】
１つのＲＦチャンネルから複数、例えば２つのサブチャンネルストリームを選択することもできる。このときには、第１ストリームセレクタ１２が２つのサブチャンネルを選択する。このとき選択された２つのサブチャンネル中の１つは第２バッファ２３に伝送され、第２バッファ２３は第２クロック発生部２４のカウント値でなく第１クロック発生部１４のカウント値を用いて受信された伝送パケットに到着時間情報を付加する。このように２つのバッファ１３、２３に記憶された単一ＲＦチャンネルの複数サブチャンネルストリームは前述したようにストリーム記録部１５により交互に読まれて高密度ＤＶＤ１００に記録される。
【００２４】
以下では、前記のように複数のＲＦチャンネルまたは単一のＲＦチャンネルの複数サブチャンネルのストリームが記録媒体に記録される過程に対してさらに詳細に説明する。
【００２５】
図２は、本発明によって１つのＲＦチャンネルから２つのサブチャンネルストリームを選択して記録する過程を例示したものである。図２の例は第１チューナ１０により選択出力されたＳＤ級４つのサブチャンネルを含むＲＦチャンネル２００から、ユーザーの要請によって、第１サブチャンネル２０１と第３サブチャンネル２０２が選択された状態を示している。
【００２６】
第１ストリームセレクタ１２により選択された２つのサブチャンネルストリームは、第１バッファ１３と第２バッファ２３に各々記憶される。このとき、第１ストリームセレクタ１２は前段の第１ＰＣＲ／ＰＳＩデコーダ１１により抽出されたＰＳＩパケットを１つのサブチャンネルストリームに挿入し、他のサブチャンネルストリームにはそのＰＳＩパケットを複写して挿入して同一のＰＳＩパケットが複数のサブチャンネルストリーム双方に挿入されてバッファ１３、２３に記憶させる。
【００２７】
第１バッファ１３と第２バッファ２３が第１クロック発生部１４のクロックカウント値を読んで、各サブチャンネルストリームの伝送パケットにそれを付加する。このように構成された各サブチャンネルストリーム２０１、２０２はストリーム記録部１５により所定単位で交互に読まれて高密度ＤＶＤ１００に記録される。
【００２８】
ストリーム記録部１５は、各サブチャンネルストリーム２０１，２０２を１つの記録集合体（Stream Object）として記録するか、それぞれ別の記録集合体に区分して記録する。そして、記録された記録集合体に対するナビゲーション情報も生成して記録する。
【００２９】
高密度記録媒体の規格では、１つの記録集合体に対して管理情報である１つのプログラム情報が対応する。各サブチャンネルを１つの記録集合体内に記録する場合には、それに対応するプログラム情報のフィールド中の１つであるプログラム類型情報ＰＧ＿ＴＹフィールドは、図３ａのように、記録されたサブチャンネル形態に対する３ビットのチャンネル個数Ｃhａｎｎｅｌ＿Ｎｓサブフィールドを有する。このサブフィールドは、１つのチャンネルストリームが対応する１つの記録集合体に区画記録されたときは‘０００’の値を、１つのＲＦチャンネルに属する２つのサブチャンネルストリームが記録されたときは、‘００１’を、そして、異なる２つのＲＦチャンネルから各々１つのサブチャンネルが選択されて２つのサブチャンネルストリームが記録されたときは‘０１０’の値が記録される。
【００３０】
したがって、図２のマルチチャンネルストリーム記録例の場合には、チャンネル個数フィールドＣhａｎｎｅｌ＿Ｎｓには、‘００１’の値が記録される。
【００３１】
もしも、各サブチャンネルを各々１つの記録集合体として記録して、これによって複数のプログラム情報を生成する場合には、プログラム類型情報は図３ｂのようなフォーマットを有する。図３ｂの関連プログラム番号ＬＫ＿ＰＧ＿Ｎｕのサブフィールドは４ビットで構成される。１つのチャンネルのみ記録されたときは‘０ＸＸＸ’の値が記録される。同一ＲＦチャンネルに属する２つのサブチャンネルが同時に記録された場合には、ｂ３には‘１’、ｂ２には‘０’、ｂ１、ｂ０にそれと一緒に記録された‘他サブチャンネル番号−１’の値を記録する。異なるＲＦチャンネルに属する２つのサブチャンネルが記録された場合には、ｂ３、ｂ２にすべて‘１’を、ｂ１、ｂ０には同時に記録された‘他サブチャンネル番号−１’を記録する。
【００３２】
したがって、図２のマルチチャンネル記録例では、第１サブチャンネルストリームが記録された記録集合体に対応するプログラム情報の関連プログラム番号のサブフィールドは‘１０１０’が記録され、第３サブチャンネルストリームに対するプログラム情報の関連プログラム番号フィールドには‘１０００’が記録される。
前述のようなプログラム類型情報に記録されるチャンネル個数情報Ｃhａｎｎｅｌ＿Ｎｓまたは関連プログラム番号情報ＬＫ＿ＰＧ＿Ｎｕは、他のナビゲーション情報であるセル（Ｃｅｌｌ）情報に記録することもできる。
【００３３】
図４は、本発明によって２つのＲＦチャンネルから２つのサブチャンネルストリームが選択されて記録される過程を例示したものである。図４の例は第１チューナ１０により同調されたＲＦチャンネルからＳＤ級の第１サブチャンネルが第１ストリームセレクタ１２により選択され、第２チューナ２０により同調されたＲＦチャンネルからＳＤ級の第３サブチャンネルが第２ストリームセレクタ２２により選択されたものである。
【００３４】
それぞれ異なるＲＦチャンネルから各々サブチャンネルが選択されて記録される場合には、第１ストリームセレクタ１２と第２ストリームセレクタ２２は、ＰＳＩ／ＰＣＲデコーダ１１、２１によりそれぞれ異なるＲＦチャンネルストリームから抽出されたＰＳＩパケットＰＳＩ１、ＰＳＩ２を選択されたサブチャンネルストリームに挿入して第１バッファ１３と第２バッファ２３に伝送する。そうすると、第１バッファ１３は第１クロック発生部１４のカウント値を、第２バッファ２３は第２クロック発生部２４のカウント値を読んで、第１ストリームセレクタ１２と第２ストリームセレクタ２２から入力される伝送パケットに、４バイトのパケット到着時間情報（ＡＴＳ）として付加する。
【００３５】
そして、第１バッファ１３と第２バッファ２３に各々記憶された第１チャンネルストリーム４０１と第３チャンネルストリーム４０２は、前述した方式と同様同一の記録集合体にするか、または複数の記録集合体として記録される。それに対応するナビゲーション情報もストリーム記録部１５により生成して記録する。
【００３６】
図４のように記録される例の場合には、図３ａのプログラム類型フィールドを用いれば、チャンネル個数Ｃhａｎｎｅｌ＿Ｎｓのフィールドに‘０１０’の値が記録されて、図３ｂのプログラム類型フィールドを用いれば、第１チャンネルストリーム４０１に対するプログラム類型フィールドの関連プログラム番号情報ＬＫ＿ＰＧ＿Ｎｕのサブフィールドに‘１１１０’の値が記録される。
【００３７】
以下では、前述したように記録されたマルチチャンネルストリームを再生する方法及び装置に対して説明する。
【００３８】
図５は、本発明によるマルチチャンネルストリーム再生装置の構成を示したものである。
図５のマルチチャンネルストリーム再生装置は、高密度ＤＶＤレコーダ（ＨＤ−ＶＤＲ）でよい。その構成は、高密度ＤＶＤ１００の記録信号を読み出す光ピックアップ１６、読まれた記録信号を処理して元来のデータストリームに復元して、各チャンネルストリームごとに分離して出力するストリーム再生部３６、分離出力されるチャンネルストリームを各々一時的に記憶する第１バッファ３３と第２バッファ３５、第１バッファ３３及び第２バッファ３５から各々チャンネルストリームを読んでデコーディングしてＰＣＲ情報と、ＰＳＩパケット、そしてデータ、すなわち、Ａ／Ｖ（Ａｕｄｉｏ／Ｖｉｄｅｏ）パケットを各々分離して出力する第１ＰＣＲ／ＰＳＩデコーダ３２と第２ＰＣＲ／ＰＳＩデコーダ３４、内部クロックをカウントするクロック発生部３０、第１ＰＣＲ／ＰＳＩデコーダ３２と第２ＰＣＲ／ＰＳＩデコーダ３４を経て各々出力されるチャンネルストリームを、マルチチャンネルの構成状態によってマルチチャンネルストリームを再構成するマルチチャンネルストリーム構成部３１、及びストリーム再生部３６により再生されたマルチチャンネルストリームの構成状態情報を把握してマルチチャンネルストリーム構成部３１でのストリーム再構成を制御する制御部３７を含む。
【００３９】
図５の再生装置でなされる本発明による記録されたマルチチャンネルストリームの再生方法に対して説明する。
【００４０】
ストリーム再生部２６は、単一または複数の記録集合体に記録されている複数のサブチャンネルストリームを再生する。単一の記録集合体に記録されている場合には順序とおり再生して伝送パケットのパケット識別番号であるＰＩＤ値に基づいて各サブチャンネル別に分離して、複数の記録集合体に記録されている場合には、各記録集合体を交互に再生してバッファ３３または３５に記憶する。
【００４１】
そして、単一または複数の記録集合体に対するプログラム情報のプログラム類型フィールドを確認して図３ａのチャンネル個数情報または図３ｂの関連プログラム番号情報フィールドの値を制御部３７に伝達する。制御部３７はフィールド情報に基づいて現在再生される複数チャンネルストリームのチャンネル構成形態をマルチチャンネルストリーム構成部３１に知らせる。
【００４２】
バッファ３３、３５に各々記憶されたサブチャンネルストリームは、後段のＰＳＩ／ＰＣＲデコーダ３２、３４により各々ＰＳＩパケットとＡ／Ｖパケットに分離され、伝送パケットに記録されているＰＣＲ値はデコーディングされて後段のマルチチャンネルストリーム構成部３１に伝えられる。
【００４３】
マルチチャンネルストリーム構成部３１は、制御部３７から伝えられる再生されるストリームのサブチャンネル構成形態によって入力される複数チャンネルのストリームを異なるように処理する。
【００４４】
図６は、図２の例により記録された、単一ＲＦチャンネルに属する２つのサブチャンネルストリームを再生する過程を例示したものである。
【００４５】
図６の例で、制御部３７は、ストリーム再生部３６から伝えられる‘００１’のチャンネル個数フィールド情報または‘１０００’または‘１０１０’の関連プログラム番号情報の値に基づいて、現在再生される複数チャンネルストリームが同一ＲＦチャンネルに属するサブストリームであることを確認する。このような確認によって、マルチチャンネルストリーム構成部３１には‘同一チャンネルモード’信号を印加する。
【００４６】
そうすると、マルチチャンネルストリーム構成部３１は、入力される２つのチャンネルストリーム中の１つのチャンネルストリーム、例えば第２ＰＳＩ／ＰＣＲデコーダ３４から印加されるチャンネルストリームに含まれているＰＳＩパケットを除去する。なぜなら、２つのチャンネルストリームが同一のＰＳＩパケットを含んでいるためである。このようにＰＳＩパケットが含まれたチャンネルストリームとＰＳＩパケットが除去されたチャンネルストリームを受信して一時的に記憶して、２つのチャンネルストリームの伝送パケットが、前段に付加されている到着時間情報ＡＴＳが速いものから順序どおり多重化して伝送される。
【００４７】
最初の伝送パケットの伝送の後に次の伝送パケットの伝送は、前で伝送された伝送パケットの到着時間情報と伝送する伝送パケットの到着時間情報の差が、現在のクロック発生部３０のカウント値と前で伝送パケットを伝送した時のクロック発生部３０のカウント値の差と同じになる瞬間に行われる。以後の伝送パケットの伝送も同様になされる。
【００４８】
前述のように再生されて伝送される複数のチャンネルのストリームを受信するデジタルＴＶのような装置は、ＰＳＩ情報に基づいて２つのサブチャンネルストリームをすべて選択してデコーディングすることによって、ＰＩＰ画面またはマルチ画面を構成することができる。
【００４９】
図７は、図４の例により記録された、２つのＲＦチャンネルにそれぞれ属する２つのサブチャンネルストリームが再生される過程を例示したものである。
【００５０】
図７の例で、制御部３７は、ストリーム再生部３６から伝えられる‘０１０’のチャンネル個数フィールド情報または‘１１００’または‘１１１０’の関連プログラム番号情報の値に基づいて、現在再生される複数チャンネルストリームが他のＲＦチャンネルに属する複数サブストリームであることを確認する。このような確認によって、マルチチャンネルストリーム構成部３１には‘異なるチャンネルモード’信号を印加する。
【００５１】
そうすると、マルチチャンネルストリーム構成部３１は、第１及び第２ＰＳＩ／ＰＣＲデコーダ３２、３４から入力される２つのチャンネルストリームに含まれていたＰＳＩパケットＰＳＩ１、ＰＳＩ２を分析して新しいＰＳＩパケットＰＳＩｎを構成し、以前のＰＳＩパケットＰＳＩ１、ＰＳＩ２をこの新しいＰＳＩパケットに代える。この新しく作成されるＰＳＩパケットＰＳＩｎに載せられる情報は、それぞれ他のＲＦチャンネルの第１チャンネルストリームと第３チャンネルストリームを１つのＲＦチャンネルとする、プログラムアソシエーションテーブル（Program Association Table）、プログラムマップテーブル（Program Map Table）、ネットワーク情報テーブル（Network Information Table）及びコンディショナルアクセステーブル（Conditional Access Table）を構成するようになる。
【００５２】
そして、異なるＲＦチャンネルの複数チャンネルストリームが１つのＲＦチャンネルに属するサブストリームとして見えるようにするためにストリーム内に記録されているＰＣＲ値も補正する。
【００５３】
このような補正のために、マルチチャンネルストリーム構成部３１は１つのサブチャンネルストリームのＰＣＲ値を他のサブチャンネルストリームを基準にして補正するオフセット値をまず算出する。このオフセット値は各サブストリームの最初のＰＣＲ値の差値になる。
【００５４】
例えば、図８Ａのように第２ＲＦチャンネルの第３サブチャンネルストリームの最初のＰＣＲ値ＰＣＲ３１が９００であって、第１ＲＦチャンネルの第１サブチャンネルストリームの最初のＰＣＲ値ＰＣＲ１１が１０００ならばオフセット値は１００になる。このようにオフセット値が求められればその求められたオフセット値を、最初のＰＣＲ値が小さいサブストリーム、すなわち第３サブチャンネルストリームの各ＰＣＲ値ＰＣＲ３ｘに加えたり最初のＰＣＲ値が大きいサブストリーム、すなわち、第１サブチャンネルストリームの各ＰＣＲ値ＰＣＲ１ｘから差し引く。図８Ｂと図８Ｃは第３チャンネルサブストリームのＰＣＲ値が補正された例を示したものである。
【００５５】
また、ＰＣＲ値が補正されたサブストリームの各伝送パケットのさらに異なる時間情報、例えばプレゼンテーション時間情報（ＰＴＳ：Presentation Time Stamp）情報とデコーディング時間情報（ＤＴＳ：Decoding Time Stamp）情報に対してもオフセットだけ補正する。
【００５６】
前述のように再構成された２つのチャンネルストリームの伝送パケットから、前段に付加されている到着時間情報ＡＴＳが速いものから順序どおり多重化して伝送する。伝送パケットの伝送間隔は前と同様の方式でなされる。
【００５７】
前述のように再生されて伝送される複数のチャンネルのストリームを受信するデジタルＴＶのような装置は、ＰＳＩ情報に基づいて２つのサブチャンネルストリームをすべて選択してデコーディングすることによって、ＰＩＰ画面またはマルチ画面を構成することができる。
【００５８】
もしも、同一のＲＦチャンネルに属するが異なった時間に記録された複数のサブストリームを同時に再生して出力する場合には、たとえ同一ＲＦチャンネルのサブストリームであっても、このときは異なるＲＦチャンネルで記録された複数サブストリームを再生する前の方法が適用される。
【００５９】
すなわち、１つのサブストリームに対してはＰＣＲ値（またはＰＴＳ／ＤＴＳ）が補正されてＰＳＩも新しく構成されてデジタルＴＶに提供される。そして、このときは記録された時間帯が異なるので各サブストリームの最初の伝送パケットのパケット到着時間情報ＰＡＴの差だけ、速いパケット到着時間情報を有するサブストリームの伝送パケットのパケット到着時間に加えて補正して、このように補正されたパケット到着時間情報に基づいて、２チャンネルストリームの伝送パケットの伝送順序と間隔とを決定して伝送する。
【００６０】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００６１】
【図１】本発明によるマルチチャンネルストリーム記録装置の構成を示す図。
【図２】本発明によって１つの放送チャンネル（ＲＦチャンネル）で２つのサブチャンネルストリームが選択されて記録される過程を示す図。
【図３】同一または異なる放送チャンネルのマルチサブチャンネルストリームの記録情報の例を各々図示す図。
【図４】本発明によって２つのＲＦチャンネルから２つのサブチャンネルストリームが選択されて記録される過程を示す図。
【図５】本発明によるマルチチャンネルストリーム再生装置に対する構成を示す図。
【図６】図２の例により記録された、単一ＲＦチャンネルに属する２つのサブチャンネルストリームが再生される過程を示す図。
【図７】図４の例により記録された、２つのＲＦチャンネルにそれぞれ属する２つのサブチャンネルストリームが再生される過程を示す図。
【図８】本発明によるマルチチャンネルストリームのプログラム基準時間情報ＰＣＲを補正する方法を示した図。
【符号の説明】
【００６２】
１０，２０…チューナ、１１，２１…ＰＣＲ／ＰＳＩデコーダ、１２，２２…ストリームセレクタ、１４，２４，３０…クロック／カウンタ、１５…ストリーム記録部、１６…光ピックアップ、１７，３７…制御部、３１…構成部、３２，３４…ＰＳＩ／ＰＣＲデコーダ、３６…ストリーム再生部、１００…記録媒体。
【図１】
2007082232.tif 000003
【図２】
2007082232.tif 000004
【図３】
2007082232.tif 000005
【図４】
2007082232.tif 000006
【図５】
2007082232.tif 000007
【図６】
2007082232.tif 000008
【図７】
2007082232.tif 000009
【図８】
2007082232.tif 000010